(57)【特許請求の範囲】
【請求項１】
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前側口縁部に止着され、外側の空気層形成フィルムは同じ一方の固定端から展張した他方の固定端が前記排気口部を跨いだ反対側口縁部に止着され、
前記内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアハウスの空気給・排気システム。
【請求項２】
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した他方の固定端が前記排気口部を跨いで反対側のハウス側面の下部又は上部の位置に止着され、同止着位置で一方の固定端を止着された内側の空気層形成フィルムの他方の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアハウスの空気給・排気システム。
【請求項３】
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した中間部が前記排気口部の手前の一側口縁部を跨いで同排気口部の中間位置に止着され、前記中間位置から反対側のハウス側面へ展張した外側の空気層形成フィルムの他方の固定端が同反対側のハウス側面の下部又は上部の位置に止着され、同止着位置で一方の固定端を止着された内側の空気層形成フィルムの他方の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアハウスの空気給・排気システム。
【請求項４】
合成樹脂シートで成る内外二重の空気層形成フィルムによる気密な空気層空間が、温室の換気用開口部を開閉するカーテン又はハウス内カーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端側から展張した先の固定端が排気口部の手前側口縁部に止着され、同外側の空気層形成フィルムは前記自由端から展張した先の固定端が前記排気口部を跨いだ反対側口縁部に止着され、
前記内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアカーテンの空気給・排気システム。
【請求項５】
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端から展張した先の固定端が排気口部の手前の一側口縁部に止着され、外側の空気層形成フィルムの他端は前記自由端から展張して前記排気口部を跨いだ反対側の巻き軸に巻き込まれ、同巻き軸に自由端を巻き込まれた内側の空気層形成フィルムは、同自由端から展張した先の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアカーテンの空気給・排気システム。
【請求項６】
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは、前記自由端から展張した先の固定端が排気口部の手前の一側口縁部に止着され、外側の空気層形成フィルムは前記自由端から展張した中間部が前記排気口部の手前の一側口縁部を跨いで同排気口部の中間位置に止着され、前記中間位置から展張した外側の空気層形成フィルムの自由端が反対側の巻き軸に巻き込まれ、同巻き軸に自由端を巻き込まれた内側の空気層形成フィルムの先の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする、エアカーテンの空気給・排気システム。
【請求項７】
断熱空気層を膨らませてエアカーテンを形成した後、巻き軸を逆に回転して空気層形成フィルムを巻き取るときに、外側の空気層形成フィルムを空気圧力により押し退けて、外側の空気層形成フィルムと給気用チューブ又は管材との隙間から空気を抜け出させてゆき、排気口部から排出することを特徴とする、請求項４に記載したエアカーテンの空気給・排気システム。
【請求項８】
断熱空気層を膨らませてエアカーテンを形成した後、巻き軸を逆に回転して空気層形成フィルムを巻き取るときに、外側の空気層形成フィルムを空気圧力により押し退けて、外側の空気層形成フィルムと給気用チューブ又は管材との隙間から空気を抜け出させてゆき、排気口部から排出することを特徴とする、請求項５又は６に記載したエアカーテンの空気給・排気システム。
【請求項９】
左右に設置された給気用チューブ又は管材は連通管により相互に連通されていることを特徴とする、請求項２、３、５、６又は８に記載したエアハウス又はエアカーテンの空気給・排気システム。
【請求項１０】
排気口部に、同排気口部の口縁部を介して垂れ下がらせた封鎖シートが、同排気口部の長手方向に沿って全長にわたり取り付けられており、
前記封鎖シートを封鎖手段で封鎖して前記排気口部を全面的に封鎖した状態で電動ファンにより給気を継続して行い、エアハウス外郭体又はエアカーテンを構成する断熱空気層の内圧を高めることを特徴とする、請求項１〜９のいずれか一に記載したエアハウス又はエアカーテンの空気給・排気システム。
【請求項１１】
電動ファンにより空気層空間へ吹き込まれた空気は、断熱空気層内の空気圧の高まりに応じて外側の空気層形成フィルムを押し退けて給気用チューブ又は管材との隙間から抜け出して空気圧を一定値に自己保持することを特徴とする、請求項１〜１０のいずれか一に記載したエアハウス又はエアカーテンの空気給・排気システム。
【請求項１２】
排気口部の全面に防虫ネットが取り付けられていることを特徴とする、請求項１〜１１のいずれか一に記載したエアハウス又はエアカーテンの空気給・排気システム。
【請求項１３】
給気用チューブ又は管材と外側の空気層形成フィルムの間に粘着防止シートが設けられていることを特徴とする、請求項１〜１２のいずれか一に記載した発明に係るエアハウス又はエアカーテンの空気給・排気システム。
【発明の詳細な説明】
【技術分野】
【０００１】
この発明は、所謂ビニールハウスと通称される簡易構造の温室のハウス外郭体又は室内側カーテンとして、内外二重の空気層形成フィルムで気密な空気層空間を形成し、同空気層空間へ空気を吹き込んで膨張させることにより断熱空気層によるハウス外郭体又は室内側カーテンを形成するエアハウス又はエアカーテンの空気給・排気システムの技術分野に属し、更に云えば、電動ファンで空気層空間へ空気を吹き込み膨張させるかぎり、一定層厚の断熱空気層が形成され、一定層厚を超過する過剰な空気は自ら排気口を形成してオーバーフローすることで一定層厚を保ち、優れた断熱効果を期待でき、電動ファンの運転制御の必要がないエアハウス又はエアカーテンの空気給・排気システムの技術分野に属する。
【背景技術】
【０００２】
従来、野菜・花卉の栽培に利用されるエアハウスとして、合成樹脂シートで成る内外二重の空気層形成フィルムで気密な空気層空間を形成し、同空気層空間へ空気を吹き込んで同空気層空間を膨張させることにより断熱空気層を有するハウス外郭体が形成された構成（例えば下記特許文献１〜３に開示）が知られており、既に実用に供されている。
前記空気層形成フィルムで保温性を高めたエアハウスを実施すると、現状の重油を燃やす暖房費を約３０％節減できると試算されている。また、通常のビニールハウスでも屋根部分や側面部分に内張りカーテンを設置すると断熱保温の効果が上がることが知られている。更に、その内張カーテンを空気層形成フィルムで構成すると、やはり暖房費を約２０％節減できると試算されている。
【０００３】
下記特許文献１及び２に記載された発明は、ハウスフレームを構成する支柱に設置したブロワー型送風機により、配管を通じて内外二重の空気層空間内へ空気を強制的に吹き込み膨張させて断熱空気層を有するハウス外郭体を形成する構成である。
断熱空気層を有するハウス外郭体を形成できる点において優れているが、前記ブロワー型送風機は、概して大型且つ大重量であり、専用の取り付け台座を支柱等のハウスフレームに加工する必要があり、その設置作業及び交換作業が大変面倒である。また、ブロワー型送風機は、概して風圧が大きいので、ビニールシートが必要以上に膨張し、ひいては破裂する虞がある、等々の問題がある。
【０００４】
そこで、本出願人は、下記特許文献３に開示されたエアハウスを開発し特許出願をした。このエアハウスは、二重のシートの空気層空間内へ空気を強制的に吹き込む送風機として小型軽量のファン型送風機を使用し、該ファン型送風機をシートへ直接取り付けた構成である。即ち、下記特許文献１及び２に開示されたブロワー型送風機と比較して、専用の取り付け台座を不要とし、その設置作業及び交換作業の効率を向上させることができる。また風圧が小さいので、合成樹脂シートを破裂させる虞がない、等々の多くの利点を有する。
【先行技術文献】
【特許文献】
【０００５】
【特許文献１】特開平７−２５５２９１号公報
【特許文献２】特開平１０−２８４８４号公報
【特許文献３】特開２００４−３３０６５号公報
【発明の概要】
【発明が解決しようとする課題】
【０００６】
しかしながら、上記特許文献１〜３に開示されたエアハウスには、ファン型送風機で吹き込まれた空気によって膨らむ断熱空気層の膨らみ具合（膨らみ厚さ）を適切に調整する手段については何ら記載されていない。前記エアハウスの断熱空気層として必要十分とされる膨らみ厚は、約１５ｃｍ〜２０ｃｍ程度であり、３０ｃｍ以上になると断熱効果が殆ど変わらないことが確認されている。それ故、断熱空気層を常に適切な膨らみ厚とする手段として、作業員が適宜、断熱空気層の膨らみ具合（膨らみ厚さ）を確認して送風機を調整しながら断熱空気層へ空気を吹き込むか、或いは断熱空気層の膨らみ厚を計測して電動ファンの運転を自動制御する装置を設置する他ないのが現状である。
【０００７】
そこで、本発明の目的は、温室のハウス外郭体又はエアカーテンを内外二重の空気層形成フィルムで気密な断熱空気層構造とする場合に、小型の電動ファンで空気層空間へ空気を吹き込み膨張させて一定層厚の断熱空気層を形成するが、一定層厚を超過する過剰な空気は空気圧力を利用して自ら排気口を形成しオーバーフローさせることで一定層厚を保つことができ、優れた断熱効果を期待でき、一方、電動ファンについて運転制御の必要がなく軽便に使用できる、エアハウス又はエアカーテンの空気給・排気システムを提供することである。
【課題を解決するための手段】
【０００８】
上記の課題を解決するための手段として、請求項１に記載した発明に係るエアハウスの空気給・排気システムは、
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前側口縁部に止着され、外側の空気層形成フィルムは同じ一方の固定端から展張した他方の固定端が前記排気口部を跨いだ反対側口縁部に止着され、
前記内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【０００９】
請求項２に記載した発明に係るエアハウスの空気給・排気システムは、
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した他方の固定端が前記排気口部を跨いで反対側のハウス側面の下部又は上部の位置に止着され、同止着位置で一方の固定端を止着された内側の空気層形成フィルムの他方の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【００１０】
請求項３に記載した発明に係るエアハウスの空気給・排気システムは、
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した中間部が前記排気口部の手前の一側口縁部を跨いで同排気口部の中間位置に止着され、前記中間位置から反対側のハウス側面へ展張した外側の空気層形成フィルムの他方の固定端が同反対側のハウス側面の下部又は上部の位置に止着され、同止着位置で一方の固定端を止着された内側の空気層形成フィルムの他方の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記電動ファンにより給気を行い、給気用チューブ又は管材を通じて空気層空間へ空気を吹き込み膨張させて断熱空気層を形成することによりエアハウス外郭体が構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【００１１】
請求項４に記載した発明に係るエアカーテンの空気給・排気システムは、
合成樹脂シートで成る内外二重の空気層形成フィルムによる気密な空気層空間が、温室の換気用開口部を開閉するカーテン又はハウス内カーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端側から展張した先の固定端が排気口部の手前側口縁部に止着され、同外側の空気層形成フィルムは前記自由端から展張した先の固定端が前記排気口部を跨いだ反対側口縁部に止着され、
前記内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【００１２】
請求項５に記載した発明に係るエアカーテンの空気給・排気システムは、
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端から展張した先の固定端が排気口部の手前の一側口縁部に止着され、外側の空気層形成フィルムの他端は前記自由端から展張して前記排気口部を跨いだ反対側の巻き軸に巻き込まれ、同巻き軸に自由端を巻き込まれた内側の空気層形成フィルムは、同自由端から展張した先の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【００１３】
請求項６に記載した発明に係るエアカーテンの空気給・排気システムは、
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは、前記自由端から展張した先の固定端が排気口部の手前の一側口縁部に止着され、外側の空気層形成フィルムは前記自由端から展張した中間部が前記排気口部の手前の一側口縁部を跨いで同排気口部の中間位置に止着され、前記中間位置から展張した外側の空気層形成フィルムの自由端が反対側の巻き軸に巻き込まれ、同巻き軸に自由端を巻き込まれた内側の空気層形成フィルムの先の固定端が前記排気口部の手前の他側口縁部に止着されており、
各内側の空気層形成フィルムの前記他方の固定端の位置又はそれより手前側の位置に、前記排気口部を塞ぐことなく内外の空気層形成フィルムの隙間を塞ぐ膨張径を有する給気用チューブ又は同様の外径を有する管材が、前記排気口部の長手方向に沿って全長にわたり設置され、この給気用チューブ又は管材に内外の空気層形成フィルムが形成する前記空気層空間に向かって連通する給気孔が設けられており、
前記給気用チューブ又は管材の内部に向かって空気を吹き込む電動ファンが設置されており、
前記巻き軸を回転して空気層形成フィルムを展開するとき、又は展開した後に前記電動ファンにより給気を行い、給気用チューブ又は管材を通じて空気層空間へ空気を吹き込み膨張させて断熱空気層を形成することによりエアカーテンが構成され、
前記断熱空気層に一定層厚を超過する過剰な空気が吹き込まれた際には、空気圧力を利用して前記外側の空気層形成フィルムを押し退けて、前記排気口部から断熱空気層内の空気を排気させる構成であることを特徴とする。
【００１４】
請求項７に記載した発明は、請求項４に記載したエアカーテンの空気給・排気システムにおいて、
断熱空気層を膨らませてエアカーテンを形成した後、巻き軸を逆に回転して空気層形成フィルムを巻き取るときに、外側の空気層形成フィルムを空気圧力により押し退けて、外側の空気層形成フィルムと給気用チューブ又は管材との隙間から空気を抜け出させてゆき、排気口部から排出することを特徴とする。
請求項８に記載した発明は、請求項５又は６に記載したエアカーテンの空気給・排気システムにおいて、
断熱空気層を膨らませてエアカーテンを形成した後、巻き軸を逆に回転して空気層形成フィルムを巻き取るときに、外側の空気層形成フィルムを空気圧力により押し退けて、外側の空気層形成フィルムと給気用チューブ又は管材との隙間から空気を抜け出させてゆき、排気口部から排出することを特徴とする。
【００１５】
請求項９に記載した発明は、請求項２、３、５、６又は８に記載したエアハウス又はエアカーテンの空気給・排気システムにおいて、
左右に設置された給気用チューブ又は管材は連通管により相互に連通されていることを特徴とする。
【００１６】
請求項１０に記載した発明は、請求項１〜９のいずれか一に記載したエアハウス又はエアカーテンの空気給・排気システムにおいて、
排気口部に、同排気口部の口縁部を介して垂れ下がらせた封鎖シートが、同排気口部の長手方向に沿って全長にわたり取り付けられており、
前記封鎖シートを封鎖手段で封鎖して前記排気口部を全面的に封鎖した状態で電動ファンにより給気を継続して行い、エアハウス外郭体又はエアカーテンを構成する断熱空気層の内圧を高めることを特徴とする。
【００１７】
請求項１１に記載した発明は、請求項１〜１０のいずれか一記載したエアハウス又はエアカーテンの空気給・排気システムにおいて、
電動ファンにより空気層空間へ吹き込まれた空気は、断熱空気層内の空気圧の高まりに応じて外側の空気層形成フィルムを押し退けて給気用チューブ又は管材との隙間から抜け出して空気圧を一定値に自己保持することを特徴とする。
【００１８】
請求項１２に記載した発明は、請求項１〜１１のいずれか一に記載したエアハウス又はエアカーテンの空気給・排気システムにおいて、
排気口部の全面に防虫ネットが取り付けられていることを特徴とする。
【００１９】
請求項１３に記載した発明は、請求項１〜１２のいずれか一に記載したエアハウス又はエアカーテンの空気給・排気システムにおいて、
給気用チューブ又は管材と外側の空気層形成フィルムの間に粘着防止シートが設けられていることを特徴とする。
【発明の効果】
【００２０】
本発明の空気給・排気システムを採用したエアハウス又はエアカーテンは、内側及び外側の空気層形成フィルム２０（２１）、３０が形成した空気層空間Ａへ小型の電動ファン５による給気を行って同空気層空間Ａを膨らませ断熱効果を発揮させることはもちろん、電動ファン５を回し放しにして断熱空気層Ａへ空気をどんどん吹き込んでも、空気圧の高まりに応じて外側の空気層形成フィルム３０を押し退けて給気用チューブ６又は管材７との隙間から排気口部Ｂへと排出されて一定層圧を自己保持する構成なので、前記電動ファン５について運転制御の必要がなく、即ち、断熱空気層の厚さを計測する器具や制御装置は無用である。
【００２１】
また、本発明の空気給・排気システムを採用したエアカーテンは、空気層空間Ａを膨らませてエアカーテン１５（１６）を形成した後、巻き軸（９０〜９２）を逆に回転して空気層形成フィルムを巻き取るときに、外側の空気層形成フィルム３０（３１）を空気圧力により押し退けて、外側の空気層形成フィルム３０（３１）と給気用チューブ６又は管材７との隙間から空気を抜け出させてゆき、排気口部Ｂから排出する構成なので、例えば電動ファン５を回し放しにした状態でも（電動ファンの電源を切り忘れても）、内外の空気層形成フィルム２０（２１、２２）、３０（３１）の巻き取り作業を容易に行えるし、前記内外の空気層形成フィルム２０（２１、２２）、３０（３１）が膨張し過大に伸びたり破損する事故もない。
【図面の簡単な説明】
【００２２】
【図１】エアハウス全体を概念的に示した正面図である。
【図２】空気層空間へ空気を吹き込む前の状態を示したエアハウスの屋根部分の拡大図である。
【図３】空気層空間へ空気を吹き込みエアハウス外郭体を形成した状態を示したエアハウスの屋根部分の拡大図である。
【図４】断熱空気層へ過剰に吹き込まれた空気を排気口部から排気させる状態を示したエアハウスの屋根部分の拡大図である。
【図５】（Ａ）、（Ｂ）は防虫ネットの取付け例を示した説明図である。
【図６】左右の内側の空気層形成フィルムの固定端をダブル型シート止着具で止着した実施例を示したエアハウスの屋根部分の拡大斜視図である。
【図７】電動ファンの設置例を示した拡大図である。
【図８】排気口部を封鎖した状態を示したエアハウスの屋根部分の拡大図である。
【図９】内外の空気層形成フィルムの隙間を塞ぐ手段として管材を使用した実施例を示したエアハウスの屋根部分の拡大斜視図である。
【図１０】エアカーテンを形成したハウス全体を概念的に示した正面図である。
【図１１】エアカーテンを形成したハウス全体の異なる実施例を概念的に示した正面図である。
【図１２】温室の側面部に形成したエアカーテンを示す部分拡大図である。
【図１３】（Ａ）、（Ｂ）は給気用チューブの止着例を示した説明図である。
【発明を実施するための形態】
【００２３】
本発明に係るエアハウスの空気給・排気システムは、内側の空気層形成フィルム２０は、ハウス１側面の下部又は上部に相当する一方の固定端２０ａから展張した他方の固定端２０ｂが排気口部Ｂの手前の一側口縁部に止着され、外側の空気層形成フィルム３０は同じ一方の固定端３０ａから展張した他方の固定端３０ｂが排気口部Ｂを跨いだ反対側のハウス１側面の下部又は上部の位置に止着され、同止着位置で一方の固定端２１ａを止着された内側の空気層形成フィルム２１の他方の固定端２１ｂが前記排気口部Ｂの手前の他側口縁部に止着されている。
各内側の空気層形成フィルム２０、２１の前記他方の固定端２０ｂ、２１ｂの位置又はそれより手前側の位置に、前記排気口部Ｂを塞ぐことなく内外の空気層形成フィルム２０（２１）、３０の隙間を塞ぐ膨張径を有する給気用チューブ６又は同様の外径を有する管材７が、前記排気口部Ｂの長手方向に沿って全長にわたり設置されている。この給気用チューブ６又は管材７に内外の空気層形成フィルム２０（２１）、３０が形成する空気層空間Ａに向かって連通する給気孔（６ａ又は７０）が設けられている。前記給気用チューブ６又は管材７の内部に向かって空気を吹き込む電動ファン５が設置されている。
電動ファン５により給気を行い、給気用チューブ６又は管材７を通じて空気層空間Ａへ空気を吹き込み膨張させて断熱空気層Ａを形成することによりエアハウス外郭体１０が構成される。
断熱空気層Ａに一定層厚を超過する過剰な空気が吹き込まれた際には、空気圧力を利用して外側の空気層形成フィルム３０を押し退けて、排気口部Ｂから断熱空気層Ａ内の空気を排気させる。
【００２４】
本発明に係るエアカーテンの空気給・排気システムは、内側及び外側の空気層形成フィルム２０、３０の自由端は巻き軸９０に巻き込まれ、内側の空気層形成フィルム２０は、自由端から展張した先の固定端２０ｂが排気口部Ｂの手前の一側口縁部に止着され、外側の空気層形成フィルム３０は前記自由端から展張した中間部３０ｃが前記排気口部Ｂの手前の一側口縁部を跨いだ同排気口部Ｂの中間位置に止着され、前記中間位置から展張した外側の空気層形成フィルム３０の自由端が反対側の巻き軸９１に巻き込まれ、この巻き軸９１に自由端を巻き込まれた内側の空気層形成フィルム２１の先の固定端２１ｂが前記排気口部Ｂの手前の他側口縁部に止着されている。
各内側の空気層形成フィルム２０、２１の前記他方の固定端２０ｂ、２１ｂの位置又はそれより手前側の位置に、前記排気口部Ｂを塞ぐことなく内外の空気層形成フィルム２０（２１）、３０の隙間を塞ぐ膨張径を有する給気用チューブ６又は同様の外径を有する管材７が、前記排気口部Ｂの長手方向に沿って全長にわたり設置され、この給気用チューブ６又は管材７に内外の空気層形成フィルム２０（２１）、３０が形成する空気層空間Ａに向かって連通する給気孔（６ａ又は７０）が設けられている。
給気用チューブ６又は管材７の内部に向かって空気を吹き込む電動ファン５が設置されている。
巻き軸９０（９１）を回転して空気層形成フィルム２０（２１）、３０を展開するとき、又は展開した後に電動ファン５により給気を行い、給気用チューブ６又は管材７を通じて空気層空間Ａへ空気を吹き込み膨張させて断熱空気層Ａを形成することによりエアカーテンが構成される。
断熱空気層Ａに一定層厚を超過する過剰な空気が吹き込まれた際には、空気圧力を利用して外側の空気層形成フィルム３０を押し退けて、排気口部Ｂから断熱空気層Ａ内の空気を排気させる。
【実施例１】
【００２５】
以下に、本発明に係るエアハウスの空気給・排気システムを図示した実施例に基づいて説明する。
先ず、請求項１及び２に記載した発明に係るエアハウスの空気給・排気システムについて説明する。
図１は、ハウス外郭体１０として合成樹脂シートで成る内側の空気層形成フィルム２０、２１と外側の空気層形成フィルム３０とで気密な空気層空間Ａ、Ａを形成し、同空気層空間Ａへ電動ファン５により空気を吹き込み膨張させることにより断熱空気層Ａが形成されたエアハウス１の全体図を示している。なお、このエアハウス１のフレームを構成するアーチパイプ１１や、同アーチパイプへ連結する棟方向へ配置したシート止着具４…等々は、格別新規なものではなく、従来一般のエアハウスに実施するフレーム資材とほぼ同じ構成である。
【００２６】
図１に示す内側の空気層形成フィルム２０は、ハウス１側面の下部に相当する位置に設置されたシート止着具４０により一方の固定端２０ａが止着され、同固定端２０ａからハウス１の屋根部分まで展張した他方の固定端２０ｂが、同ハウス１の屋根部分に形成された一定幅Ｒの排気口部Ｂの手前の一側口縁部に設置されたシート止着具４１により止着されている。
外側の空気層形成フィルム３０は、前記内側の空気層形成フィルム２０の一方の固定端２０ａを止着するシート止着具４０により共通に止着された固定端３０ａから展張された他方の固定端３０ｂが前記排気口部Ｂを跨いだ反対側のハウス１側面の下部の位置に設置されたシート止着具４２により止着されている。
そして、前記外側の空気層形成フィルム３０の他方の固定端３０ｂを止着するシート止着具４２に一方の固定端２１ａが止着された内側の空気層形成フィルム２１の他方の固定端２１ｂが、前記排気口部Ｂの手前の他側口縁部に設置されたシート止着具４３に止着されている。
前記排気口部Ｂは、断熱空気層Ａへ送り込まれた空気を十分に排気できる開口幅Ｒとして、例えば５〜１０ｃｍ程度の幅寸で構成することが好ましい。
また、前記排気口部Ｂの全面には、図５（Ａ）、（Ｂ）に詳示したように、ハウス１内の虫が断熱空気層Ａへ進入することを防止する虫除けネット１７が、左右の内側の空気層形成フィルム２０、２１の固定端２０ｂ、２１ｂを止着するシート止着具４１、４３に止着されて取り付けられている。因みに、前記虫除けネット１７の材質は、一例として繊維性又は樹脂性である。
なお、図示した実施例では、内側の空気層形成フィルム２０、２１の一方の固定端２０ａ、２１ａ、及び外側の空気層形成フィルム３０の両固定端３０ａ、３０ｂは、ハウス１側面の下部に相当する位置に止着された構成を示したが、この限りではなく、ハウス１側面の上部に相当する位置、具体的にはハウス１の肩部に止着された構成で実施することもできる。
【００２７】
前記内外の空気層形成フィルム２０（２１）、３０を止着する手段は、エアハウス１の長手方向に沿ってアーチパイプ１１に取り付けられた複数のシート止着具４（４０〜４３）により行われる。このシート止着具４（４０〜４３）は、当業技術分野では既に周知の技術である。具体的には、横断面方向に見ると底壁の両側に立ち上がる両側壁を内方へ略ハの字形状に傾斜させて開口が狭幅のシート止着溝が形成された構成である。前記シート止着溝の排気口部上にフィルムを拡げ、その上から波形状をなす弾性なシート止め線材４ａをシート止着溝の中へ押し入れて止着するものである。  
なお、左右の内側の空気層形成フィルムの他方の固定端２０ｂ、２１ｂを止着するシート止着具４１、４３は、図６に示すダブル型シート止着具４４を使用した構成で実施することもできる。このダブル型シート止着具４４は、２本のシート止着具を連結片４４ａにより連結した構成であり、当業技術分野では既に周知の技術である（例えば意匠登録第１０９５３３９号や意匠登録第１３４０３１２号に開示）。前記ダブル型シート止着具４０の前記連結片４４ａには、排気口部として複数の排気口孔４４ｂ…が長手方向に形成されている。
【００２８】
因みに、前記内外の空気層形成フィルム２０（２１）、３０を構成する合成樹脂シートは、耐用性に優れているポリオレフィン系シートやフッ素系シートを使用することが好ましい。外側の空気層形成フィルム３０の厚みは、０．１〜０．１５ｍｍ程度とされ、内側の空気層形成フィルム２０、２１の厚みは０．１ｍｍ程度とされている。なお、後述するカーテンの場合には、内外の空気層形成フィルムは、０．０５〜０．０７５ｍｍ程度とされている。
【００２９】
図１〜４に示すように、上記内側の空気層形成フィルム２０、２１の上記排気口部Ｂと隣接する固定端２０ｂ、２１ｂの位置又はそれより手前側の位置に、同排気口部Ｂを塞ぐことなく内外の空気層形成フィルム（２０、２１）と３０の隙間を塞ぐ膨張径を有する給気用チューブ６が、内側の空気層形成フィルム２０（２１）の固定端２０ｂ（２１ｂ）と共にシート止着具４１（４３）で止着され、前記排気口部Ｂの長手方向に沿って全長にわたり設置されている。
前記給気用チューブ６をシート止着具４１（４３）で止着させるには、給気用チューブ６の外面に軟質フィルムを溶着し、該軟質フィルムを内側の空気層形成フィルム２０（２１）と共にシート止着具４１（４３）のシート止着溝の開口部上に拡げ、シート止め線材４ａをシート止着溝の中へ押し入れて止着する。その他の方法として、図１２及び図１３（Ｂ）に示すように、給気用チューブ６の排気口部Ｂ側の端部を内側の空気層形成フィルム２２と共にシート止着具４のシート止着溝の開口部上へ拡げ、シート止め線材４ａをシート止着溝の中へ押し入れて止着する。このとき、図１３（Ａ）に示すように、給気用チューブ６の外面に、シート止着具４１（４３）の口縁部へ合わせるライン１８と電動ファン５を設置するためのライン１９を、ハウス１の長手方向に沿って印刷等で付することより、同給気用チューブ６を設置するときに捻れる等の不都合を解消して作業性を高めることが好ましい。
なお、上記給気用チューブ６と外側の空気層形成フィルム３０とが、水滴により粘着する場合には、給気用チューブ６と外側の空気層形成フィルム３０の間に粘着防止シートを設けることが好ましい。具体的には、図５（Ａ）、（Ｂ）に示すように、排気口部Ｂの全面に設けた虫除けネット１７を給気用チューブ６を越えて断熱空気層Ａに向かって延ばし、同虫よけネット１７を給気用チューブ６へ貼り付けることにより、表面張力の発生を抑制して粘着（密着）を予防できる。
前記給気用チューブ６は、柔軟性のある合成樹脂性又はゴムシート等であり、上記断熱空気層Ａへ向かって連通する直径約６ｍｍの給気孔６ａ…が上下方向に約３０ｍｍの間隔をあけて２個設けられ、ハウスの長手方向においては例えば５００ｍｍの間隔をあけて設けられている。但し、前記給気孔６ａ…は、給気チューブ６が膨張して内外の空気層形成フィルム２０（２１）、３０と密着し、且つ空気を空気層空間Ａへ吹き込むことが可能な形状と大きさであれば良く、前記寸法及び個数に限定されない。
【００３０】
上記内側の空気層形成フィルム２０（２１）と給気用チューブ５とを挟む配置へ、エアハウス１の室内側から前記給気用チューブ６に向って空気を吹き込む小型軽量の電動ファン５が直接取り付けられ、前記電動ファン５の空気吹き出し口が前記給気用チューブ６に向って直接開口されている。
図７は、前記電動ファン５を内側の空気層形成フィルム２０及び給気用チューブ６へ取り付ける構成を示している。小型の電動ファン５を内側の空気層形成フィルム２０の内側面にあてがい、同給気用チューブ６の内側面に当てがわれた押さえ縁５０とで同フィルム２０と給気用チューブ６をサンドイッチ状に挟み、ボルト接合して取り付けられている。因みに、電動ファン５を取り付ける箇所は空気の出入りが可能な大きさと形状に開口されている。
前記電動ファン５は、一例として出力２５Ｗ程度のものであり、給気用チューブ６の長手方向（約３０ｍ程度）に１個設置され、１０分程度の作動でエアハウス外郭体１０を形成することができる。ただし、前記電動ファン５は、給気用チューブ６の長手方向（約３０ｍ程度）に複数個設置して、より素早く空気層空間Ａへ空気を吹き込みエアハウス外郭体１０を形成する構成で実施することもできる。
なお、図示することは省略したが、前記左右の給気用チューブ６、６を連通管により相互に連通し、前記小型の電動ファン５を、一方の給気用チューブ６にのみ設置したり、或いは前記連通管へ設置することで１個の電動ファン５で共通に給気することができる。
【００３１】
次に、上記電動ファン５により、上記空気層空間Ａへ空気を吹き込み、断熱空気層Ａを有するエアハウス外郭体１０を形成する手順について説明する。
先ず、空気層空間Ａ、Ａへ空気を給気させる手順であるが、左右の内側の空気層形成フィルム２０、２１に設置した電動ファン５をスイッチオンして給気を行い、図１に示すように、左右の空気層空間Ａ、Ａを膨らませる。前記電動ファン５から空気が前記給気用チューブ６へ吹き込まれて、図２に示すように左右の給気用チューブ６、６が萎んだ状態から、先ずはこの給気用チューブ６を図３に示すように膨らませて、排気口部Ｂを閉止する。続いて、空気は前記給気用チューブ６の給気孔６ａから抜け出て、空気層空間Ａ内へ順次に効率よく吹き込まれる。
こうして、膨張した左右の給気用チューブ６は、内外の空気層形成フィルム２０（２１）、３０へ密接して同内外の空気層形成フィルム２０（２１）、３０の隙間を塞ぐ。よって、空気が内外の空気層形成フィルム２０（２１）、３０の外部へ漏れることがなく、断熱空気層Ａを有するエアハウス外郭体１０を形成することができる。
【００３２】
上記電動ファン５により、断熱空気層Ａへ過剰に吹き込まれた空気は、図４に示すように、内圧の高まりに応じて外側の空気層形成フィルム３０を押し退けて給気用チューブ６との隙間から抜け出て排気口部Ｂから排出される。つまり、電動ファン５で断熱空気層Ａへ空気を吹き込み（電動ファンを回し放し）膨張させるかぎり、一定層厚の断熱空気層Ａが形成され、一定層厚を超過する過剰な空気は自ら排気口を形成してオーバーフローすることで、空気圧を一定値以下に自己保持することができ、優れた断熱効果を期待できる。したがって、過剰に吹き込まれた空気圧が原因で内外の空気層形成フィルム２０（２１）、３０が膨張し過大に伸びたり極端な場合には破損する事故もない。
【００３３】
なお、断熱空気層Ａ内へ空気を吹き込む際に、例えば作業員により断熱空気層Ａの膨らみ厚に応じて断続的に電動ファン５を作動させて同断熱空気層Ａ内へ空気を吹き込む構成で実施することもできる。或いは断熱空気層Ａの膨らみ厚を設定値になるように自動調整する検出手段としての電動スイッチ機構と、同電動スイッチ機構を使用して作動させる電気スイッチ機構とからなる電気スイッチ機構を設置して、同電気スイッチ機構により前記膨らみ厚を調整しながら空気を吹き込む構成で実施することもできる。
【００３４】
因みに、断熱空気層Ａから空気を抜く排気手順としては、スイッチをオフにして電動ファン５を停止させ、給気用チューブ６を萎ませる。すると、給気用チューブ６と内外の空気層形成フィルム２０（２１）、３０との密接状態が解除され排気口部Ｂが大きく開放されるので、空気は排気口部Ｂから一気に大量に放出可能である。
【００３５】
なお、強風や冬期における積雪によりエアハウス１の屋根部分のフィルムが集中的に又は局所的に圧迫されて空気層形成フィルム２０（２１）、３０が垂れ下がるおそれがある場合には、図８に示すように、内側の空気層形成フィルム２０、２１の固定端２０ｂ、２１ｂを止着する左右のシート止着具４１、４３に、排気口部Ｂから垂れ下がらせた封鎖シート８、８の一端を、同排気口部Ｂの長手方向に沿って全長にわたり取り付け、他端を例えば両面テープやチャック或いはファスナー等の封鎖手段８０で封鎖すると共に、前記封鎖シート８、８の両端を封鎖して全面的に封鎖した状態で、電動ファン５により継続して給気を行い、断熱空気層Ａの内圧を高める。すると、エアハウス外郭体１０は大きくピンっと張った状態となり、エアハウス１の屋根部分の積雪を地面に向って振るい落とすことができるし、強風に耐えうる強度に形成することができる。なお、前記封鎖シート８、８は、一端を上記左右の給気用チューブ６、６へ溶着させて排気口部Ｂから垂れ下がる構成として実施することもできる。
【００３６】
図９は、上記給気用チューブ６に代えて管材として塩化ビニル管７（以下、塩ビ管という）を設置した構成を示している。
具体的には、内側の空気層形成フィルム２０、２１の排気口部Ｂと隣接する固定端の位置又はそれより手前側の位置に、同排気口部Ｂを塞ぐことなく内外の空気層形成フィルム２０（２１）、３０の隙間を塞ぐ径の塩ビ管７が、前記排気口部Ｂの長手方向に沿って全長にわたり設置されている。前記塩ビ管７には、断熱空気層Ａに向かう側に同断熱空気層Ａと連通する給気孔７０…が設けられ、更に塩ビ管７に向かって空気を吹き込む電動ファン５が内側の空気層形成フィルム２０、２１と塩ビ管７を挟む配置で設置されている。即ち、前記同電動ファン５により給気を行い、塩ビ管７から左右の空気層空間Ａへ空気を吹き込むことにより、断熱空気層Ａを有するエアハウス外郭体１０が形成される
【００３７】
なお、上記エアハウスの空気給・排気システムは、図１において左右のどちらか一方の側に設置した構成で実施することもできる。
詳細な図示は省略し、図１を参考にして左側にのみ設置した場合の構成を説明すると、内側の空気層形成フィルム２０は、ハウス１側面の下部に相当する位置に設置されたシート止着具４０に止着された一方の固定端２０ａから展張した他方の固定端２０ｂが、排気口部Ｂの手前側口縁部に設置されたシート止着具４１に止着される。外側の空気層形成フィルム３０は、同じ一方の固定端３０ａから展張した他方の固定端３０ａが、前記排気口部Ｂを跨いだ反対側口縁部に設置されたシート止着具４３又は反対側のハウス側面の下部に相当する位置に設置されたシート止着具４２に止着される。
【００３８】
また、上記エアハウスの空気給・排気システムの異なる実施形態として、請求項３に記載した発明に係る空気給・排気システムでも同様に実施することができる。
詳細な図示は省略し、構成を図１と図１０を参考に説明すると、内側の空気層形成フィルム２０は、図１に示すように、ハウス側面の下部（又は上部）に相当する位置に設置されたシート止着具４０に止着された一方の固定端２０ａからハウス１の屋根部分まで展張した他方の固定端２０ｂを、排気口部Ｂの手前の一側口縁部に設置されたシート止着具４１へ止着する。
外側の空気層形成フィルム３０は、図１に示すように、前記内側の空気層形成フィルム２０の一方の固定端２０ａを止着するシート止着具４０に共通に止着された固定端３０ａから展張した中間部３０ｃを、図１０に示すように、前記排気口部Ｂの手前の一側口縁部を跨いで同排気口部Ｂの中間位置に設置されたシート止着具４５により止着し、前記中間位置から、図１に示すように、反対側のハウス１側面へ展張された外側の空気層形成フィルム３０の固定端３０ｂを、同反対側のハウス１側面の下部（又は上部）の位置に設置したシート止着具４２により止着する。
そして、前記外側の空気層形成フィルム３０の他方の固定端３０ｂを止着するシート止着具４２に固定端２１ａが止着された内側の空気層形成フィルム２１の他方の固定端２１ｂを前記排気口部Ｂの手前の他側口縁部に設置されたシート止着具４３に止着する。
【実施例２】
【００３９】
次に、図１０〜１３に基づいて、請求項４〜６に記載した発明に係るエアカーテンの空気給・排気システムを説明する。なお、上述した実施例１のエアハウスの空気給・排気システムと重複する内容についての説明は省略する。
図１０は、内外二重の空気層形成フィルムにより気密な断熱空気層Ａが温室１３の内部のカーテンとして形成されたカーテンシステム１５の構成、及び温室１３の側面部において、断熱空気層Ａが温室１３の換気用開口部を開閉する換気用カーテンとして形成されたサイドシステム１６の構成を示している。
即ち、共通する構成要素に共通の符号をつけて実施例を概念的に示したように、主に断熱、保温効果を目的として温室１３の内部のフレーム１７と、同温室１３の側面部のそれぞれに沿って空気層形成フィルムを上下方向のカーテン状に展張し又は同フィルムを収納するカーテンシステム１５及びサイドシステム１６において、断熱空気層Ａによるカーテンを形成し、回転伝達装置で回転する巻き軸（９０〜９２）でカーテンを巻き上げて収納し、又は巻き下ろして展張する場合の空気給・排気システムである。
前記換気口を開閉させるべく、巻き軸（９０〜９２）の巻き上げ又は巻き下ろし手段に用いる回転伝達装置は、例えば特開２００７−９２９７３号公報や特開２００５−２２１０７２号公報等に開示されて既に実用に供されている。図１０〜１３に示す実施例では、前記回転伝達装置の記載を省略し、内外の空気層形成フィルム２０（２１）、３０を巻き付ける巻き軸（９０〜９２）のみを記載している。
【００４０】
以下に、エアカーテンの空気給・排気システムの具体的な構成を説明する。
先ず、図１０に示した請求項６に記載した発明に係る温室１３の内部に形成されたカーテンシステム１５について説明する。
内側及び外側の空気層形成フィルム２０、３０の自由端は、温室１３の側面の上部（肩部）に相当する位置で巻き軸９０に巻き込まれ、前記内側の空気層形成フィルム２０は、前記自由端から展張した先の固定端２０ｂが、排気口部Ｂの手前の一側口縁部の設置されたシート止着具４１により止着されている。
外側の空気層形成フィルム３０は、前記巻き軸９０に巻き込まれた自由端から展張した中間部３０ｃが、前記排気口部Ｂの手前の一側口縁部を跨いで同排気口部Ｂの中間位置に設置されたシート止着具４５により止着されている。そして、前記中間位置から反対側の温室１３の側面の上部（肩部）に相当する位置まで展張された外側の空気層形成フィルム３０の自由端が巻き軸９１に巻き込まれている。
前記外側の空気層形成フィルム３０の自由端を巻き込んだ巻き軸９１に自由端が巻き込まれたもう一方の内側の空気層形成フィルム２１の先方の固定端２１ｂが前記排気口部Ｂの手前の他側口縁部に設置されたシート止着具４３により止着されている。
即ち、内外の空気層形成フィルム２０（２１）、３０の自由端側は、回転伝達装置で正逆方向へ回転される巻き軸９０、９１に巻き付けられ、回転伝達装置の手動ハンドルを一方へ回転させると、巻き軸９０、９１により内外の空気層形成フィルム２０（２１）、３０が自由端側から巻き上げられて換気口が形成される。手動ハンドルを逆方向へ回転させると巻き軸９０、９１で内外の空気層形成フィルム２０（２１）、３０を巻き戻し、前記内外の空気層形成フィルム２０（２１）、３０は展張されて換気口を閉じることができる構成である。
なお、図１０において詳示することは省略したが、前記排気口部Ｂの全面には、虫除けネットが、シート止着具４１（４３）、４５に止着されて取り付けられている。
【００４１】
なお、上記内外の空気層形成フィルム２０（２１）、３０の自由端は、温室１３の側面の下部に相当する位置まで展張して巻き軸９０（９１）に巻き込まれた構成で実施することもできる（例えば図１１を参考）。
また、図示することは省略したが、上記排気口部Ｂの中間位置に２つのシート止着具を並行させて設置し、外側の空気層形成フィルム３０の中間部３０ｃを、前記２つのシート止着具により別々に止着させた構成で実施することもできる。
【００４２】
上記左右の内側の空気層形成フィルム２０、２１の排気口部Ｂと隣接する固定端２０ｂ、２１ｂの位置又はそれより手前側の位置に、同排気口部Ｂを塞ぐことなく内外の空気層形成フィルム２０（２１）、３０の隙間を塞ぐ膨張径を有する給気用チューブ６が、前記排気口部Ｂの長手方向に沿って全長にわたり設置され、この給気用チューブ６において上記空気層空間Ａに向って連通する複数の給気孔６ａ…が設けられている（詳しくは図３を参照）。なお、前記給気用チューブ６に代えて、上記段落番号［００３６］において説明した塩ビ管７（管材）を使用した構成で実施することもできる。
そして、給気用チューブ６の内部に向かって空気を吹き込む電動ファン５が、内側の空気層形成フィルム２０（２１）と給気用チューブ６を挟み付けて取り付けられている。
【００４３】
なお、上記カーテンシステム１５の異なる実施形態として、図１１に示した請求項５に記載した発明に係る構成で実施することもできる。
具体的には、内側及び外側の空気層形成フィルム２０、３０の自由端は、温室１３の側面の下部に相当する位置で巻き軸９０に巻き込まれ、前記内側の空気層形成フィルム２０は、前記自由端から展張した先の固定端２０ｂが、排気口部Ｂの手前の一側口縁部に設置されたシート止着具４１により止着されている。
外側の空気層形成フィルム３０は、前記自由端から展張して前記排気口部Ｂを跨いだ反対側の温室１３の側面の下部に相当する位置で巻き軸９１に巻き込まれている。
そして、前記巻き軸９１に自由端を巻き込まれた内側の空気層形成フィルム２１は、同自由端から展張した先の固定端２１ｂが前記排気口部Ｂの手前の他側口縁部に設置されたシート止着具４３により止着されている。
なお、上記内外の空気層形成フィルム２０（２１）、３０の自由端は、温室１３の側面の上部（肩部）に相当する位置で巻き軸９０（９１）に巻き込まれた構成で実施することもできる（例えば図１０を参考）。
【００４４】
次に、図１０に示した請求項４に記載した発明に係る温室１３の換気用開口部を開閉するカーテンとして形成されたサイドシステム１６について説明する。
図１２に拡大して示すように、内側及び外側の空気層形成フィルム２２、３１の自由端は巻き軸９２に巻き込まれ、内側の空気層形成フィルム２２は、前記自由端側から展張した先の固定端２２ｂが、排気口部Ｂの手前側口縁部に設置されたシート止着具４６により止着されている。
前記外側の空気層形成フィルム３１は、前記自由端から展張した先の固定端３１ｂが前記排気口部Ｂを跨いだ反対側位置に設置されたシート止着具４７により止着されている。  図１２に示すサイドシステム１６における給気用チューブ６は、図１３に示すように、排気口部Ｂ側の端部を内側の空気層形成フィルム２２と共にシート止着具４６のシート止着溝の開口部上へ拡げ、シート止め線材４ａをシート止着溝の中へ押し入れて止着されている。ただし、給気用チューブ６の外面に軟質フィルムを溶着し、該軟質フィルムを内側の空気層形成フィルム２０（２１）と共にシート止着具４のシート止着溝の開口部上に拡げ、シート止め線材４ａをシート止着溝の中へ押し入れて止着した構成で実施することもできる。
因みに、符号３１ｃは、シート止着具４７のシート止着溝内へ水滴が入り込むことを防止するシートを示している。このシート３１ｃは、一端がシート止着具４７に止着され、温室の長手方向に沿って、シート止着具４７のシート止着溝を覆う配置に取り付けられている。なお、前記シート３１ｃは、実施例１及び２で説明した、その他のシート止着具においても同様に設置することができる。
なお、図示することは省略したが、前記サイドシステム１６は、温室１３の内部におけるエアカーテンとした構成で実施することもできる。
【００４５】
次に、上記空気層空間Ａへ空気を給・排気させる手順を、図１０に示したハウスの屋根部分に形成されたカーテンシステム１５に基づいて説明する。
先ず、空気層空間Ａへ空気を給気させる手順であるが、回転伝達装置のハンドルを回転させることにより巻き軸９０（９１）を巻き戻して内外の空気層形成フィルム２０（２１）、３０を展開する際（途中）、又は展開した際（展開後）に、前記電動ファン５をスイッチオンして給気を行い空気層空間Ａを膨らませる。電動ファン５から給気用チューブ６へ吹き込まれて、先ずはこの給気用チューブ６を膨らませて、排気口部Ｂを閉止する。続いて、空気は前記給気用チューブ６の給気孔６ａから抜け出て、空気層空間Ａ内へ順次に効率よく吹き込まれる。こうして、膨張した給気用チューブ６は、内外の空気層形成フィルム２０（２１）、３０へ密接して同内外の空気層形成フィルム２０（２１）、３０の隙間を塞ぐ。よって、空気が空気層空間Ａの外部へ漏れることがなく、空気層形成フィルム２０（２１）、３０は断熱空気層Ａを形成することができる。
前記断熱空気層Ａへ過剰に吹き込まれた空気は、内圧の高まりに応じて外側の空気層形成フィルム３０を押し退けて給気用チューブ６との隙間から抜け出てゆき排気口部Ｂから排出される。つまり、電動ファン５で断熱空気層Ａへ空気を吹き込み（電動ファンを回し放し）膨張させるかぎり、一定層厚の断熱空気層Ａが形成され、一定層厚を超過する過剰な空気は自ら排気口を形成してオーバーフローすることで、空気圧を一定値以下に自己保持することができ、優れた断熱効果を期待できる。
【００４６】
次に、断熱空気層Ａへ空気を排気させる手順であるが、先ず、スイッチをオフにして電動ファン５を停止させ、給気用チューブ６を萎ませる。すると、給気用チューブ６と、内外のフィルム２０（２１）、３０との密接状態が解除され排気口部Ｂが開放されるので、空気は排気口部Ｂから一気に大量に放出可能である。よって、上記回転伝達装置のハンドルを回転させて巻き軸９０（９１）で内外の空気層形成フィルム２０（２１）、３０を巻き取る際の巻き軸９０（９１）による前記内外の空気層形成フィルム２０（２１）、３０の巻き上げ速度（空気層形成フィルム２の絞り効果）に負けない早さで断熱空気層Ａ内の空気を一気に排出できるし、前記内外の空気層形成フィルム２０（２１）、３１の巻き上げる際に巻き軸９０（９１）が空気圧で浮き上がる不都合もなく、作業性に優れている。
なお、前記電動ファン５を回し放しにし（電動ファン５の電源を切り忘れた状態）、給気用チューブ６を膨らませた状態であっても、巻き軸９０（９１）で内外の空気層形成フィルム２０（２１）、３０を巻き上げることにより、外側の空気層形成フィルム３０を空気圧力により押し退けて、外側の空気層形成フィルム３０と給気用チューブ６との隙間から空気を抜け出させてゆき、排気口部Ｂから排出できるので、巻き軸９０（９１）が空気圧により浮き上がる不都合もなく、内外の空気層形成フィルム２０（２１）、３０の巻き取り作業をスムーズに行える。また、内外の空気層形成フィルム２０（２１）、３０が膨張し過大に伸びたり破損する事故もない。
【００４７】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００４８】
１          エアハウス
１０        ハウス外郭体
１３        温室
１５        カーテンシステム
１６        サイドシステム
１７        虫除けネット
２０〜２２  内側の空気層形成フィルム
３０、３１  外側の空気層形成フィルム
４（４０〜４５）  シート止着具
５          電動ファン
６          給気用チューブ
７          管材（塩化ビニル管）
８          封鎖シート
８０        封鎖手段
９０〜９２  巻き軸
Ａ          断熱空気層（空気層空間）
Ｂ          排気口部
【図１】
0005756610.tif 000002
【図２】
0005756610.tif 000003
【図３】
0005756610.tif 000004
【図４】
0005756610.tif 000005
【図５】
0005756610.tif 000006
【図６】
0005756610.tif 000007
【図７】
0005756610.tif 000008
【図８】
0005756610.tif 000009
【図９】
0005756610.tif 000010
【図１０】
0005756610.tif 000011
【図１１】
0005756610.tif 000012
【図１２】
0005756610.tif 000013
【図１３】
0005756610.tif 000014